(57)【要約】【課題】写真撮影装置とカーテンとを備える写真撮影システムにおいて、前記カーテンの盗難又は損傷を防止することができる写真撮影システム及び写真撮影システムに備えられるカーテンの提供。【解決手段】盗難損傷防止手段として、カーテンの懸吊具及び上縁部を覆うカバー、カーテンに設けられた金属体又は防刃繊維、カーテンに設けられた導電体に導電物が接触したことを検知する検知部２６及び検知した場合に通知する通知手段、カーテンに加えられる力を検知する荷重センサ２２及び検知した場合に通知する通知手段、カーテンに設けられて存在を認識させる認識体を認識する認識手段及び認識できないときに通知する通知手段、若しくは盗難損傷を検知した場合に撮影する又は写真撮影装置の動作を停止する手段等を備えるようにした。【選択図】        図７
2004229763.tif 000002
【特許請求の範囲】
【請求項１】
撮影部を備える写真撮影装置と、該写真撮影装置の近傍に配設されたカーテンとを備える写真撮影システムにおいて、
前記カーテンの盗難防止手段又は損傷防止手段を備えることを特徴とする写真撮影システム。
【請求項２】
前記損傷防止手段は、前記カーテンの生地に沿うように設けられた金属体又は防刃繊維を備えることを特徴とする請求項１に記載の写真撮影システム。
【請求項３】
前記金属体は、線状をなし、端部が環状に形成されたことを特徴とする請求項２に記載の写真撮影システム。
【請求項４】
前記金属体を鎖状に形成したことを特徴とする請求項２に記載の写真撮影システム。
【請求項５】
前記盗難防止手段は、前記カーテンを懸吊するための懸吊具及び前記カーテンの上縁部を覆うカバーを備えることを特徴とする請求項１又は２に記載の写真撮影システム。
【請求項６】
前記損傷防止手段は、前記カーテンの生地に沿うように設けられた導電体と、該導電体に接続されており、前記導電体に導電物が接触したことを検知する検知部と、該検知部が検知した場合、検知したことを通知する通知手段とを備えることを特徴とする請求項１、２又は５の何れかに記載の写真撮影システム。
【請求項７】
前記盗難防止手段は、前記カーテンが牽引されることにより加えられる力を検知する検知部と、該検知部が検知した場合、検知したことを通知する通知手段とを備えることを特徴とする請求項１、２、５又は６の何れかに記載の写真撮影システム。
【請求項８】
前記盗難防止手段は、前記カーテンに設けられて存在を認識させる認識体と、該認識体を認識する認識手段と、該認識手段が前記認識体を認識できない場合、認識できないことを通知する通知手段とを備えることを特徴とする請求項１、２、５、６又は７の何れかに記載の写真撮影システム。
【請求項９】
前記通知手段は、警報出力部を備えることを特徴とする請求項６、７又は８の何れかに記載の写真撮影システム。
【請求項１０】
前記通知手段は、警告灯を備えることを特徴とする請求項６乃至９の何れかに記載の写真撮影システム。
【請求項１１】
前記検知部が検知した場合、又は前記認識手段が認識できない場合に、前記撮影部により撮影を行わせる撮影制御手段と、前記撮影部が撮影した画像を記憶する記憶部とを備えることを特徴とする請求項６乃至１０の何れかに記載の写真撮影システム。
【請求項１２】
前記検知部が検知した場合、又は前記認識手段が認識できない場合に、前記写真撮影装置の動作を停止させることができる停止手段を備えることを特徴とする請求項１１に記載の写真撮影システム。
【請求項１３】
写真撮影システムに備えられるカーテンにおいて、
生地に沿うように設けられた金属体又は防刃繊維を備えることを特徴とするカーテン。
【請求項１４】
前記金属体は、線状をなし、端部が環状に形成されたことを特徴とする請求項１３に記載のカーテン。
【請求項１５】
前記金属体を鎖状に形成したことを特徴とする請求項１３に記載のカーテン。
【請求項１６】
写真撮影システムに備えられるカーテンにおいて、
その生地に沿うように設けられた導電体を備え、該導電体に導電物が接触したことを検知する検知部に前記導電体を接続でき、前記導電物により損傷されることを前記検知部に検知させることを特徴とするカーテン。
【請求項１７】
写真撮影システムに備えられるカーテンにおいて、
存在を認識させるための認識体を備え、該認識体を認識する認識手段に存在を認識させることを特徴とするカーテン。
【発明の詳細な説明】
【０００１】
【発明の属する技術分野】
本発明は、利用者を撮影する写真撮影装置とカーテンとを備える写真撮影システム及び写真撮影システムに備えられるカーテンに関する。
【０００２】
【従来の技術】
硬貨等の対価を投入することにより自動的に写真を撮影し、画像印刷装置等によりシール紙等の印刷媒体上に画像をプリントして出力する写真撮影装置が広く知られている。
【０００３】
また、この写真撮影装置と、撮影時の被写体の背景を演出する手段としてのカーテンとを備える写真撮影システムがある。この写真撮影システムに備えられるカーテンは、背景を変更するために複数種類の模様のものが備えられ、主な利用者である若い女性に好まれるような模様とされている。このため、写真撮影システムに備えられるカーテンを所有したいと考える一部の利用者により、人気のあるカーテンが取り外されたり又は上部から切断されたりして持ち去られるという問題があった。
【０００４】
また、前述の写真撮影システムには、写真撮影装置の利用者がポーズを取って撮影できるように、人目に付かない撮影空間を提供するために、撮影空間を見通せないカーテンが備えられている。よって、写真撮影システムの外部から内部の行動が見えず、前述のカーテン盗難を誘発するという問題もあった。
【０００５】
このような写真撮影システムの外部から内部の様子を窺うために、カーテンの一部を半透明に構成し、シルエットにより内部の様子が窺えるようにした写真撮影装置が開示されている（特許文献１参照）。
【０００６】
また、金庫等が収納されたメンテナンスドアが開いた場合に通常の撮影用カメラにより撮影を行うようにした写真撮影装置が開示されている（特許文献２参照）。
【０００７】
【特許文献１】
特開２００２−３１８４２１号公報
【特許文献２】
特開２０００−２７０３１４号公報
【０００８】
【発明が解決しようとする課題】
前述の特許文献１に記載された写真撮影装置は、カーテン自身を刃物により損傷されること、又はカーテンそのものを盗まれることを防止するものではなく、また、カーテンの一部を半透明にして内部を窺えるようにしていることから、撮影時のプライバシ確保に難点があるものであった。
【０００９】
また、特許文献２に記載された写真撮影装置は、貨幣盗難に対する対策であり、カーテンの盗難に対応するものではなかった。
【００１０】
本発明は斯かる事情に鑑みてなされたものであり、カーテンの盗難又は損傷の対策を施すことによりカーテンの盗難又は損傷を防止できる写真撮影システムを提供することを目的とする。
【００１１】
また、本発明は、カーテン自身を損傷され難くすることにより、カーテンの損傷を防止できる写真撮影システムを提供することを目的とする。
【００１２】
また、本発明は、損傷され難くするためにカーテンに設けられた物の形状を工夫することによりカーテンを取り扱う利用者に危害が加わらない写真撮影システムを提供することを目的とする。
【００１３】
また、本発明は、損傷され難くするためにカーテンに設けられた物の形状を工夫することによりカーテンの風合いの変化を抑えることができる写真撮影システムを提供することを目的とする。
【００１４】
また、本発明は、カーテンを簡単に取り外せないようにすることによりカーテンの盗難を防止できる写真撮影システムを提供することを目的とする。
【００１５】
また、本発明は、カーテンに金属製の刃物が接触したことを検知することによりカーテンの損傷を防止できる写真撮影システムを提供することを目的とする。
【００１６】
また、本発明は、カーテンに過度の荷重が加えられたことを検知することによりカーテンの盗難を防止できる写真撮影システムを提供することを目的とする。
【００１７】
また、本発明は、カーテンの存在の有無を認識することによりカーテンの盗難を防止できる写真撮影システムを提供することを目的とする。
【００１８】
また、本発明は、カーテンの盗難又は損傷を検知した場合、カーテンを盗難又は損傷しようとする利用者にカーテンの盗難又は損傷を検知したことを知らせることによりカーテンの盗難又は損傷を防止する写真撮影システムを提供することを目的とする。
【００１９】
また、本発明は、カーテンの盗難又は損傷を検知した場合、離れた場所からでも検知したことを確認できるようにすることによりカーテンの盗難又は損傷を防止できる写真撮影システムを提供することを目的とする。
【００２０】
また、本発明は、カーテンの盗難又は損傷を検知した場合、カーテンを盗難又は損傷しようとする利用者を撮影することによりカーテンを盗難又は損傷しようとする利用者を特定できる写真撮影システムを提供することを目的とする。
【００２１】
また、本発明は、カーテンの盗難又は損傷を検知した場合、写真撮影装置の動作を停止できるようにすることによりカーテンが盗難又は損傷されたまま営業が継続されるのを防止できる写真撮影システムを提供することを目的とする。
【００２２】
また、本発明は、損傷され難く構成することにより損傷を防止できる、写真撮影システムに備えられるカーテンを提供することを目的とする。
【００２３】
また、本発明は、損傷され難くするために設けられた物の形状を工夫することにより取り扱う利用者に危害が加わらない、写真撮影システムに備えられるカーテンを提供することを目的とする。
【００２４】
また、本発明は、損傷され難くするために設けられた物の形状を工夫することにより風合いの変化を抑えることができる、写真撮影システムに備えられるカーテンを提供することを目的とする。
【００２５】
また、本発明は、金属製の刃物が接触したことを検知させることができるように構成することにより損傷を防止できる、写真撮影システムに備えられるカーテンを提供することを目的とする。
【００２６】
さらに、本発明は、存在の有無を認識させることができるように構成することにより盗難を防止できる、写真撮影システムに備えられるカーテンを提供することを目的とする。
【００２７】
【課題を解決するための手段】
第１発明に係る写真撮影システムは、撮影部を備える写真撮影装置と、該写真撮影装置の近傍に配設されたカーテンとを備える写真撮影システムにおいて、前記カーテンの盗難防止手段又は損傷防止手段を備えることを特徴とする。
【００２８】
第１発明においては、盗難防止手段又は損傷防止手段を備えるから、カーテンが盗難又は損傷されそうになった場合、盗難防止手段又は損傷防止手段がカーテンの盗難又は損傷を防止できる。
【００２９】
第２発明に係る写真撮影システムは、第１発明における前記損傷防止手段が、前記カーテンの生地に沿うように設けられた金属体又は防刃繊維を備えることを特徴とする。
【００３０】
第２発明においては、カーテンの生地に沿うように設けられた金属体又は防刃繊維を備えるから、刃物によりカーテンを損傷しようとした場合、金属体又は防刃繊維によりカーテンの損傷を防止できる。
【００３１】
第３発明に係る写真撮影システムは、第２発明における前記金属体が、線状をなし、端部が環状に形成されたことを特徴とする。
【００３２】
第３発明においては、金属体は、線状をなし、端部が環状に形成されたから、カーテンの生地に沿うように設けられた金属体に鋭利な部分が無く、金属体がカーテンの生地から突き出すことがないため、カーテンを扱う利用者に怪我をさせない。
【００３３】
第４発明に係る写真撮影システムは、第２発明における前記金属体を鎖状に形成したことを特徴とする。
【００３４】
第４発明においては、金属体を鎖状に形成したから、カーテンに金属体が設けられてもカーテンの柔らかさが損なわれない。
【００３５】
第５発明に係る写真撮影システムは、第１発明又は第２発明における前記盗難防止手段が、前記カーテンを懸吊するための懸吊具及び前記カーテンの上縁部を覆うカバーを備えることを特徴とする。
【００３６】
第５発明においては、カーテンを懸吊するための懸吊具及びカーテンの上縁部を覆うカバーを備えるから、カーテンを取り外そうとしても取り外すことができず、カーテンが盗難されない。
【００３７】
第６発明に係る写真撮影システムは、第１発明、第２発明又は第５発明の何れかにおける前記損傷防止手段が、前記カーテンの生地に沿うように設けられた導電体と、該導電体に接続されており、前記導電体に導電物が接触したことを検知する検知部と、該検知部が検知した場合、検知したことを通知する通知手段とを備えることを特徴とする。
【００３８】
第６発明においては、カーテンの生地に沿うように設けられた導電体と、導電体に接続されており、導電体に導電物が接触したことを検知する検知部と、検知部が検知した場合、検知したことを通知する通知手段とを備えるから、導電物である刃物によりカーテンを損傷しようとした場合は、刃物が導電体に接触し、接触したことを検知部が検知し、検知した場合に通知手段がカーテンの損傷を検知したことを通知してカーテンの損傷を防止できる。
【００３９】
第７発明に係る写真撮影システムは、第１発明、第２発明、第５発明又は第６発明の何れかにおける前記盗難防止手段が、前記カーテンが牽引されることにより加えられる力を検知する検知部と、該検知部が検知した場合、検知したことを通知する通知手段とを備えることを特徴とする。
【００４０】
第７発明においては、カーテンが牽引されることにより加えられる力を検知する検知部と、検知部が検知した場合、検知したことを通知する通知手段とを備えるから、カーテンを盗難しようとして過度の力によりカーテンが牽引された場合は、カーテンに過度の力が加えられたことを検知部が検知し、検知した場合に通知手段がカーテンの盗難を検知したことを通知してカーテンの盗難を防止できる。
【００４１】
第８発明に係る写真撮影システムは、第１発明、第２発明、第５発明、第６発明又は第７発明の何れかにおける前記盗難防止手段が、前記カーテンに設けられて存在を認識させる認識体と、該認識体を認識する認識手段と、該認識手段が前記認識体を認識できない場合、認識できないことを通知する通知手段とを備えることを特徴とする。
【００４２】
第８発明においては、カーテンに設けられて存在を認識させる認識体と、認識体を認識する認識手段と、認識手段が認識体を認識できない場合、認識できないことを通知する通知手段とを備えるから、認識手段が認識体を認識することによりカーテンが存在することを認識し、認識手段が認識体を認識できない場合はカーテンが盗難されると判断して通知手段により盗難を検知したことを通知してカーテンの盗難を防止できる。
【００４３】
第９発明に係る写真撮影システムは、第６発明、第７発明又は第８発明の何れかにおける前記通知手段が、警報出力部を備えることを特徴とする。
【００４４】
第９発明においては、通知手段が警報出力部を備えるから、カーテンの盗難又は損傷を検知した場合、警報出力部から警報が発せられ、カーテンを盗難又は損傷しようとする利用者にカーテンの盗難又は損傷を検知したことを通知し、カーテンの盗難又は損傷を防止できる。
【００４５】
第１０発明に係る写真撮影システムは、第６発明乃至第９発明の何れかにおける前記通知手段が、警告灯を備えることを特徴とする。
【００４６】
第１０発明においては、通知手段が警告灯を備えるから、カーテンの盗難又は損傷を検知した場合、警告灯が点灯し、写真撮影システムの管理者が離れた場所にいる場合でもカーテンの盗難又は損傷を検知したことを認識でき、カーテンの盗難又は損傷を防止できる。
【００４７】
第１１発明に係る写真撮影システムは、第６発明乃至第１０発明の何れかにおける前記検知部が検知した場合、又は前記認識手段が認識できない場合に、前記撮影部により撮影を行わせる撮影制御手段と、前記撮影部が撮影した画像を記憶する記憶部とを備えることを特徴とする。
【００４８】
第１１発明においては、検知部が検知した場合、又は認識手段が認識できない場合に、撮影部により撮影を行わせる撮影制御手段と、撮影部が撮影した画像を記憶する記憶部とを備えるから、カーテンの盗難又は損傷を検知した場合、撮影制御手段が撮影部により撮影するように制御し、撮影部が撮影した画像が記憶部に記憶され、カーテンを盗難又は損傷しようとする利用者を特定できる。
【００４９】
第１２発明に係る写真撮影システムは、第１１発明における前記検知部が検知した場合、又は前記認識手段が認識できない場合に、前記写真撮影装置の動作を停止させることができる停止手段を備えることを特徴とする。
【００５０】
第１２発明においては、検知部が検知した場合、又は認識手段が認識できない場合に、写真撮影装置の動作を停止させることができる停止手段を備えるから、カーテンの盗難又は損傷を検知した場合、停止手段により写真撮影装置の動作を停止させることができ、カーテンが盗難又は損傷されたまま稼働するのを防止できる。
【００５１】
第１３発明に係るカーテンは、写真撮影システムに備えられるカーテンにおいて、生地に沿うように設けられた金属体又は防刃繊維を備えることを特徴とする。
【００５２】
第１３発明においては、生地に沿うように設けられた金属体又は防刃繊維を備えるから、刃物によりカーテンを損傷しようとした場合、刃物が金属体又は防刃繊維に接触し、それ以上カーテンを損傷できない。
【００５３】
第１４発明に係るカーテンは、第１３発明における前記金属体が、線状をなし、端部が環状に形成されたことを特徴とする。
【００５４】
第１４発明においては、金属体は、線状をなし、端部が環状に形成されたから、カーテンの生地に沿うように設けられた金属体に鋭利な部分が無く、金属体がカーテンの生地から突き出すことがないため、カーテンを扱う利用者に怪我をさせない。
【００５５】
第１５発明に係るカーテンは、第１３発明における前記金属体を鎖状に形成したことを特徴とする。
【００５６】
第１５発明においては、カーテンの生地に沿うように設けられた金属体を鎖状に形成したから、カーテンに金属体が設けられても、カーテンの柔らかさが損なわれない。
【００５７】
第１６発明に係るカーテンは、写真撮影システムに備えられるカーテンにおいて、その生地に沿うように設けられた導電体を備え、該導電体に導電物が接触したことを検知する検知部に前記導電体を接続でき、前記導電物により損傷されることを前記検知部に検知させることを特徴とする。
【００５８】
第１６発明においては、カーテンの生地に沿うように設けられた導電体を備えており、この導電体を検知部に接続できるから、導電物である刃物によりカーテンを損傷しようとした場合は、刃物が導電体に接触し、接触したことを検知部に検知させることができる。
【００５９】
第１７発明に係るカーテンは、写真撮影システムに備えられるカーテンにおいて、存在を認識させるための認識体を備え、該認識体を認識する認識手段に存在を認識させることを特徴とする。
【００６０】
第１７発明においては、存在を認識させるための認識体を備えるから、認識体を認識する認識手段に存在を認識させることができる。
【００６１】
【発明の実施の形態】
以下、本発明をその実施の形態を示す図面に基づいて詳述する。
【００６２】
実施の形態１
図１は、本発明に係る写真撮影システムの全体構成を示す模式的斜視図である。
【００６３】
図において１は、撮影部及び操作ディスプレイ等を正面に備える箱状の写真撮影装置であり、写真撮影装置１の正面側には、所定距離離れた位置に矩形の背面パネル２が対向するように設けられている。この背面パネル２の左右の縁部には、写真撮影装置１側に向けて側面パネル３，３が接続されており、上縁部には、同じく写真撮影装置１側に向けて天板４が接続されている。写真撮影装置１の正面上下左右の角部からは、背面パネル２側に向けて夫々１本、計４本のフレーム部材５，５，・・・が突設されており、フレーム部材５，５，・・・の突設端は側面パネル３に固定されている。上側のフレーム部材５，５夫々には、カーテン６，６が吊設されており、このカーテン６，６、側面パネル３，３、背面パネル２、天板４及び床面にて囲まれた空間が前記撮影部の撮影範囲となる。
【００６４】
図２は、写真撮影装置１の外観を示す模式的斜視図である。
【００６５】
図において１０は撮影部であり、撮影部１０はＣＣＤカメラにより構成され、写真撮影装置１の前面略中央よりやや上側に配設されている。この撮影部１０の下側には、撮影部１０が撮影した画像を表示する液晶ディスプレイ等からなる取り込み画像表示部１１が配設されており、この取り込み画像表示部１１の下側には、スピーカ１２が埋設されている。
【００６６】
このスピーカ１２の下側には、表示画面を写真撮影装置１の前方斜め上方向に向けた状態にして操作ディスプレイ１３が配設されており、この操作ディスプレイ１３は、液晶ディスプレイ等のモニタと、このモニタ上に積層されたタッチパネルと、前記モニタの近傍に配設されたタブレットペンとを備える。操作ディスプレイ１３の近傍には操作ボタン１５が配設されている。
【００６７】
写真撮影装置１の前面下部の略垂直な面には、コイン投入口１６が設けられており、写真撮影装置１の前面両端部には、ライト及びストロボを内蔵する照明部１７が配設されている。また、写真撮影装置１の側面下部には印刷されたシールを排出するシール取出口１８が配設され、写真撮影装置１上面の略中央には警告灯１４が配設されている。
【００６８】
図３は、背面パネル２及び側面パネル３の撮影範囲側を示す模式的斜視図であり、図４はカバー内部の模式図である。
【００６９】
背面パネル２及び側面パネル３の撮影範囲側には、荷重センサ２２を介して取り付けられ、導電性の材料にて形成されたレール２３を備えるカバー２１が上部に固定されており、レール２３には、レール２３に沿って摺動することが可能であり、導電性の材料にて形成された駒２４が複数取り付けられている。この駒２４には、カーテン２０を掛止するための掛止部２５が掛止されており、レール２３、駒２４及び掛止部２５により構成されるカーテンの懸吊具によりカーテン２０が懸吊されている。カバー２１は、前記懸吊具及びカーテン２０の上縁部を覆うように形成されており、カーテン２０が通過するカバー２１と背面パネル２との隙間は前記懸吊具に手が届かない程度の隙間とされている。カーテン２０は、写真撮影装置１に備えられる撮影部１０に対向するように配置でき、撮影画像の背景を演出するために用いられる。またこのカーテン２０は、背景を変更するために複数種類のものが備えられている。レール２３には、後述する検知部２６が接続されている。
【００７０】
図５は、カーテン２０及び掛止部２５を示す斜視図である。
【００７１】
カーテン２０は、表地２０ａ及び裏地２０ｂを縫い合わせて構成されており、上縁部から下縁部に向けて形成された袋部２０ｃが所定間隔毎に設けられている。この袋部２０ｃに、ステンレス鋼線又はピアノ線等により形成された金属体２５ａが挿入され、この挿入により金属体２５ａは、カーテン２０の生地に沿うように設けられている。金属体２５ａの一端部はカーテン２０の上縁部より突出し、フック形状をなして掛止部２５を兼ねている。この掛止部２５は駒２４に挿入できても、抜く場合には工具がないと抜きにくいように形成されている。また、金属体２５ａの他端部はカーテンの下端近傍まで延長されている。金属体２５ａは、カーテン２０の上縁部近傍にて環状をなす縫い止め部２５ｂを形成しており、カーテン２０は、この縫い止め部２５ｂに縫い止められることにより固定されている。
【００７２】
図６は、検知部２６の要部であるブリッジ回路を示す模式図である。
【００７３】
前述の検知部２６は、カーテン２０に設けられた導電体である金属体２５ａに金属製のハサミ又はカッタ等の導電物が接触したことを検知するものであり、図６に示したブリッジ回路を備える。このブリッジ回路は、金属体２５ａの他端部と、床面又は金属筐体との静電容量の変化を検知するものである。
【００７４】
基準となるコンデンサＣｓと、レール２３、駒２４、金属体２５ａ及び床面により構成される試料コンデンサＣｘとが並列に接続され、ブリッジ回路に備えられる環状鉄芯に巻き廻された巻線ＮｓとコンデンサＣｓとが直列に接続されている。また、前記環状鉄芯に、巻線Ｎｓに対して逆方向に巻き廻された巻線Ｎｘと試料コンデンサＣｘとが直列に接続されている。巻線Ｎｓの巻数と巻線Ｎｘの巻数とは、前記環状鉄芯内の磁束が平衡するように調整されている。前記環状鉄芯には、前記環状鉄芯内の磁束を検出するための巻線Ｎｄも巻き廻されており、巻線Ｎｄの両端は検出器に接続されている。
【００７５】
図７は、本実施の形態１の写真撮影システムのハードウェア構成を示すブロック図である。
【００７６】
本実施の形態１の写真撮影システムは、バス１０３を介してＣＰＵ１００、撮影部１０、取り込み画像表示部１１、記憶部１０２、操作ディスプレイ１３、操作ボタン１５、スピーカ１２、照明部１７、印刷部１８０、硬貨処理部１６０、ＲＡＭ１０１、時計部１９、荷重センサ２２、警告灯１４及び検知部２６等が接続されている。
【００７７】
ＣＰＵ１００は、バス１０３を介して前述したようなハードウェア各部と接続されており、それらを制御すると共に、ハードディスク等の記憶部１０２に格納された制御プログラムに従って種々のソフトウェア的機能を実行する。また、ＣＰＵ１００は、後述する盗難損傷検知信号を受けた場合、警告灯１４へ点灯信号を出力する。
【００７８】
なお、本実施の形態においては、写真撮影システムは、撮影部１０及び印刷部１８０等を一つの写真撮影装置１内に格納しているが、これに限らず、例えば、印刷部１８０を隔離して設けるようにしてもよい。
例えば、操作ディスプレイ１３を更にもう一つ備えるようにし、撮影部１０、取り込み画像表示部１１、照明部１７、操作ディスプレイ１３等を含む撮影機能を果たすユニットと、操作ディスプレイ１３及び印刷部１８０等を含む画像編集機能を果たすユニットとを、設置される遊技施設内のサーバコンピュータ（図示せず）を介してネットワークにより接続して同様の機能を実現するようにしてもよい。この場合、撮影部１０を含むユニットにおいて利用者が撮影を行ったときにＩＤが付された磁気カードが発行される。画像データ及びＩＤは対応付けてサーバコンピュータに記憶される。利用者が画像編集及び印刷を行う場合は、磁気カードを印刷部１８０を含むユニットへ挿入し、ＩＤに基づいてサーバコンピュータから画像データを読み出して画像の編集を行い、シールに印刷するようにすればよい。
【００７９】
ＲＡＭ１０１は、ＳＲＡＭ又はフラッシュメモリ等により構成され、ソフトウェアの実行時に発生する一時的なデータを記憶する。
【００８０】
記憶部１０２には、音声のガイダンスデータ等が記憶されており、このガイダンスデータはＣＰＵ１００の指示に基づいて読み出され、スピーカ１２に出力される。スピーカ１２が利用者に対して出力するガイダンスには、操作方法、撮影直前のカウントダウン等がある。
【００８１】
また、スピーカ１２は、カーテン２０の盗難又は損傷を検知した場合に警報を発する警報出力部としても機能する。
【００８２】
硬貨処理部１６０は、コイン投入口１６から投入された硬貨の金額を検出し、所定の料金が投入されたと検出した場合、検出信号をＣＰＵ１００へ出力する。
【００８３】
照明部１７は、蛍光灯等の連続照明するライト１７ｂ及び撮影の瞬間にシンクロ発光して照明するストロボ１７ａにより構成されている。ライト１７ｂは、写真撮影装置１の前面両端部に夫々設けられており、プラスチック製の拡散照明カバーを透過して利用者を照射する。このライト１７ｂは、撮影時のみならず撮影前及び編集時においても点灯しており、その点灯／消灯は、記憶部１０２に記憶された制御プログラムに従いＣＰＵ１００が制御する。
【００８４】
また、ストロボ１７ａも同様に写真撮影装置１の前面両端部に夫々複数設けられている。ＣＰＵ１００は、利用者による操作ボタン１５の操作等により画像の撮影が指示された場合、ストロボ１７ａに対して発光指示信号を出力し、ストロボ１７ａの発光に同期させて撮影部１０に画像取り込みを行わせるべく、撮影部１０に対して撮影指示信号を出力する。
【００８５】
撮影部１０はＣＣＤカメラにより構成されている。ＣＰＵ１００が出力する撮影指示信号を取得した撮影部１０において、ＣＣＤに蓄積された電荷は、電気信号として図示しないアナログ／デジタル変換器へ出力される。アナログ／デジタル変換器によりデジタル信号に変換された画像データはＲＧＢ各成分のデータとして記憶部１０２に格納され、また、取り込み画像表示部１１及び操作ディスプレイ１３のモニタ１３ｂへ出力される。
【００８６】
操作ディスプレイ１３は、モニタ１３ｂ、タッチパネル１３ｃ、タブレットペン１３ｄ及び表示プロセッサ１３ａから構成されている。表示プロセッサ１３ａは、撮影部１０により取り込まれた画像データを記憶するためのフレームバッファを有しており、撮影後、取り込まれた画像データをフレームバッファに記憶した後、画像データを基に画像をモニタ１３ｂに表示させ、編集処理において、利用者がタブレットペン１３ｄを利用して落書きを入力した場合、その入力データがフレームバッファに記憶される。
【００８７】
モニタ１３ｂ上には、透明なタッチパネル１３ｃが積層されており、タッチパネル１３ｃは、タブレットペン１３ｄからの入力を検出する。編集情報等が入力された場合、タッチパネル１３ｃはその入力を受け付け、受け付けた情報を表示プロセッサ１３ａへ出力する。表示プロセッサ１３ａは、入力された情報に基づく変更後の画像をモニタ１３ｂに表示させる。
【００８８】
時計部１９は、予め設定された撮影可能時間を計測し、撮影可能時間が経過したとき、ＣＰＵ１００に撮影終了信号を出力する。
【００８９】
荷重センサ２２は、カーテン２０を牽引することによりレール２３に加えられる引張荷重を検知する検知部であり、予め定められた閾値よりも大きい引張荷重を検知した場合に、カーテン２０が盗難されると判断して盗難検知信号をＣＰＵ１００に出力する。
【００９０】
検知部２６は、カーテン２０の生地に沿うように設けられた金属体２５ａに金属製のハサミ又はカッタ等が接触したことを検知する。検知方法は、金属体２５ａと、床面又は金属筐体との間の静電容量に、金属製のハサミ又はカッタ等及びそれを保持する人体の静電容量［ｐＦ］が加わることによる静電容量［ｐＦ］の変化を検知することにより行う。予め定められた閾値よりも大きい静電容量［ｐＦ］の変化を検知した場合に、カーテン２０が損傷されると判断して損傷検知信号をＣＰＵ１００に出力する。
また、カーテン２０にくるまって撮影した場合、利用者である人体の静電容量［ｐＦ］により検知する静電容量［ｐＦ］は緩やかに変化するが、この遊戯方法を許容するには、これを正しく検知してカーテン２０の損傷行為と区別する必要がある。金属製のハサミ又はカッタ等が接触した場合には、それを保持する人体の静電容量［ｐＦ］が瞬時に加わるから、静電容量［ｐＦ］の時間変化率［ｐＦ／ｎｓ］は非常に大きくなり、カーテン２０にくるまって撮影する時間変化率［ｐＦ／ｎｓ］の小さい場合と明確に区別して検知することができる。これを行うには、検知部２６に図示しない微分回路を設け、損傷検知信号をＣＰＵ１００に出力する。
なお、カーテン２０及び金属体２５ａは、カーテン２０にくるまり撮影ポーズを取る遊戯により揺らぐから、検知部２６は、金属体２５ａと、床面又は金属筐体との静電容量の変化を許容する必要がある。また、静電容量［ｐＦ］及び静電容量［ｐＦ］の時間変化率［ｐＦ／ｎｓ］を検出するために、検知部の耐圧を２０〜３０ｋＶ程度、確保する必要もある。
【００９１】
ちなみに、人体の静電容量は約９０〜３００ｐＦ、発生する静電気電圧は約３０００〜１００００Ｖ、放電電流の立ち上がり時間は約０．７〜１．０ｎｓ、放電電流Ｉ［Ａ］、これらに対して利用者がカーテン２０にくるまる時間は１秒程度である。また、金属製のハサミ又はカッタ等は、通常素手に握られて人体と電気的に一体となっている。以上のようなデータから、導電体に導電物が接触したことを検知する他の手段として、金属製のハサミ又はカッタ等が金属体２５ａに触れたときに瞬時に流れる静電気の放電電流［Ａ］及び放電電流［Ａ］の時間変化率［Ａ／ｎｓ］を検知してもよい。
【００９２】
放電電流［Ａ］の検知は、抵抗［Ｒ］を設け、この抵抗［Ｒ］の両端の電圧［Ｖ］を検知し、オームの法則Ａ＝Ｖ／Ｒにより算出して行えばよい。放電電流［Ａ］の時間変化率［Ａ／ｎｓ］の検知は、前記電圧［Ｖ］を、例えばよく知られたＣＲ微分回路を通じて検知すればよい。
【００９３】
これらの場合、ショックを受けない適当な抵抗「ＭΩ」により適度な時間を掛けて小電流で放電されるから、人体に放電のショックを受けることもなく、検知部２６の耐圧も、発生した静電気の電圧より遥かに低くてもよい。また、複雑な信号発生器を含むブリッジ回路も必要なく、簡単な回路により高感度に検知できる。前述のデータから分かるように、金属製のハサミ又はカッタ等が金属体２５ａに触れたときに瞬時に流れる静電気の放電時間０．７〜１．０ｎｓと、利用者がカーテン２０にくるまる時間の１秒程度とは、１：１０億の差があり、抵抗を通じてゆっくりした放電時間（τ［μｓ］＝Ｃ［ｐＦ］・Ｒ［ＭΩ］）でも、なお何桁かの差があるから、二者の差は非常に明確であり、誤検知も少ない。
【００９４】
前述したハードウェア構成を備える写真撮影システムが備えるＣＰＵ１００の撮影印刷処理手順を図８に示すフローチャートを用いて説明する。
以下のフローチャートは、利用者が所定の料金を投入してから撮影及び印刷が終了するまでの手順を示したものである。
【００９５】
ＣＰＵ１００は、硬貨処理部１６０により、所定料金が投入されたか否かを判定し（Ｓ１）、所定料金が投入されていないと判定した場合（Ｓ１：ＮＯ）、所定料金が投入されたと判定するまで適宜のタイミングにより判定を繰り返す。
【００９６】
Ｓ１において、所定料金が投入されたと判定した場合（Ｓ１：ＹＥＳ）、ＣＰＵ１００は、撮影についてのガイダンスデータを記憶部１０２から読み出してモニタ１３ｂに表示する（Ｓ２）。
【００９７】
ＣＰＵ１００は、撮影部１０により順次取り込まれている画像を取り込み画像表示部１１に表示させており、利用者は、この取り込み画像表示部１１の表示により撮影される画像を確認し、自身のポーズの決定等を行うことができる。そして利用者がモニタ１３ｂ上の撮影ボタンをタブレットペン１３ｄにより操作することにより、又は操作ボタン１５に含まれる撮影ボタン（図示せず）を操作することにより撮影が実行される。
【００９８】
次に、ＣＰＵ１００は、時計部１９から撮影終了信号が出力されているか否かを判定し（Ｓ３）、撮影終了信号が出力されていない場合（Ｓ３：ＹＥＳ）、ＣＰＵ１００は、撮影ボタンが操作されたか否かを判定し（Ｓ４）、撮影ボタンが操作されていないと判定した場合（Ｓ４：ＮＯ）、Ｓ３に戻る。
【００９９】
Ｓ３において撮影終了信号が出力されたと判定した場合（Ｓ３：ＮＯ）、及びＳ４において、撮影ボタンが操作されたと判定した場合（Ｓ４：ＹＥＳ）、ＣＰＵ１００は、ストロボ１７ａへ発光指示信号を出力し、撮影部１０へ撮影指示信号を出力することにより、ストロボ１７ａを発光させると共に撮影部１０による撮影を行う（Ｓ５）。
【０１００】
なお、撮影ボタンが操作されたと判定した後、時間の経過に従って「３、２、１」等をモニタ１３ｂ上にカウントダウン表示すると共に、スピーカ１２によるアナウンスによってカウントダウンを行うことにより撮影のタイミングを利用者に知らせてから撮影を行うようにしてもよい。
【０１０１】
そして、ＣＰＵ１００は、撮影して得られた画像データを表示プロセッサ１３ａのフレームバッファに記憶する（Ｓ６）。ＣＰＵ１００は、フレームバッファから画像データを読み出し、また、編集情報を入力するための編集画面を記憶部１０２から読み出し、読み出した編集画面及び画像データをモニタ１３ｂに表示する（Ｓ７）。
【０１０２】
次に、ＣＰＵ１００は、利用者がタブレットペン１３ｄを利用することによる編集情報を受け付けて画像データの編集を行い（Ｓ８）、編集後の画像データを印刷部１８０へ出力する（Ｓ９）。これにより、印刷部１８０において画像データに基づく画像がシールへ印刷され、印刷後のシールはシール取出口１８から排出される。
【０１０３】
図９は、盗難損傷防止処理の手順を示すフローチャートである。
以下のフローチャートは、カーテン２０の盗難又は損傷を検知したときの盗難防止及び損傷防止の手順を示すフローチャートであり、荷重センサ２２又は検知部２６が、カーテン２０の盗難又は損傷の検知信号をＣＰＵ１００に出力したとき、図８に示した撮影印刷処理の最中であっても、割り込み処理として実行される。
【０１０４】
荷重センサ２２又は検知部２６が、カーテン２０の盗難又は損傷の検知信号をＣＰＵ１００に出力した場合（Ｓ２０）、この検知信号をトリガとしてＣＰＵ１００は、盗難損傷防止処理に入り、ブザー出力の指示信号をスピーカ１２に入力し、スピーカ１２はブザー音を出力する（Ｓ２１）。
【０１０５】
次に、ＣＰＵ１００は警告灯１４に点灯指示信号を与え、警告灯１４が点灯される（Ｓ２２）。
【０１０６】
次に、ＣＰＵ１００は、荷重センサ２２又は検知部２６が検知信号を出力しているか否かを判定し（Ｓ２３）、検知信号が引き続き出力されている場合（Ｓ２３：ＹＥＳ）は、Ｓ２１に戻りブザー音の出力及び警告灯１４の点灯を継続する。
【０１０７】
Ｓ２３において、検知信号が出力されていないと判定された場合（Ｓ２３：ＮＯ）、ＣＰＵ１００は、ブザー出力の指示信号を停止し（Ｓ２４）、警告灯１４の点灯指示信号を停止して（Ｓ２５）リターンし、盗難損傷防止処理から抜け出す。
【０１０８】
本発明に係る写真撮影システムにおいては、カーテン２０の懸吊具及び上縁部をカバー２１により覆ったから、写真撮影システムの利用者がカーテン２０を取り外して盗難しようとしても懸吊具に手が届かないためにカーテン２０を取り外すことができず、カーテン２０が盗難されることがない。
【０１０９】
また、カーテン２０の生地に沿うように設けられた金属体２５ａを備えたから、カーテン２０を切断して持ち去ろうとしても、カーテン２０を切断しようとする刃物が金属体２５ａに接触し、それ以上カーテン２０を切断することができないから、カーテン２０を切断して持ち去られることがない。
【０１１０】
また、荷重センサ２２を備えたから、カーテン２０を盗難しようとしてカーテン２０を強く牽引したことを検知でき、検知した場合のブザー出力によりカーテン２０を盗難しようとする利用者にカーテン２０の盗難を検知したことを知らせて盗難の抑制及び防止をすることができる。また、警告灯１４の点灯によりブザーが聞こえない離れた場所に居る写真撮影システムを管理する管理者にもカーテン２０の盗難を検知したことを知らせて盗難の防止をすることができる。
【０１１１】
さらに、利用者がカーテン２０を盗難しようとして導電物であるハサミ又はカッタ等の刃物によってカーテン２０を切断しようとした場合、刃物が導電体である金属体２５ａに接触し、接触することにより金属体２５ａの他端部と、床面又は金属筐体との静電容量が変化する。この静電容量の変化を検知部２６が検知してブザー出力及び警告灯点灯等を行い、カーテン２０を盗難しようとする利用者及び写真撮影システムを管理する管理者にカーテン２０の盗難を検知したことを知らせるから、カーテン２０の盗難又は損傷の拡大を抑制することができる。
【０１１２】
本実施の形態１においては、カーテン２０の袋部２０ｃの内部に金属体２５ａが挿入されているが、金属体２５ａに限らず、刃物により切断できないアラミッド繊維等の防刃繊維を挿入してもよい。
【０１１３】
また、カーテン２０に設けられる金属体２５ａ等は、カーテン２０に設けられる袋部２０ｃに挿入されるように構成したが、この構成に限らず、カーテン２０に直接貼り付け又は縫い付けする等、金属体２５ａ等は、カーテン２０の生地に沿うように設けられていればよい。
【０１１４】
また、金属体２５ａ等はカーテン２０の縦方向に設けたが、例えば、横方向又は斜め方向等に金属体２５ａ等を設けてもよく、金属体２５ａ等を設ける方向は特に限定しない。また、複数の方向に組み合わせて金属体２５ａ等を設けてもよい。
【０１１５】
また、カーテン２０に設けられる金属体２５ａの一端部が掛止部２５を兼ねているが、金属体２５ａと掛止部２５とは別体でもよい。
【０１１６】
また、金属体２５ａは線状に形成されているが、カーテン２０の生地に沿うように設けられた金属体２５ａの端部を環状に形成してもよい。金属体２５ａの端部を環状に形成することにより、金属体２５ａに鋭利な端部が無くなり、カーテン２０の生地から金属体２５ａが突き出すことが無いため、カーテン２０を取り扱う利用者に怪我をさせることがない。
【０１１７】
また、金属体２５ａは線状に形成されているが、カーテン２０の生地に沿うように設けられた金属体２５ａを鎖状に形成してもよい。金属体２５ａを鎖状に形成することにより、カーテン２０に金属体２５ａを設けてもカーテン２０の柔らかさが損なわれず、カーテン２０にくるまって撮影する場合でも違和感がない。
【０１１８】
また、荷重センサ２２又は検知部２６がカーテン２０の盗難又は損傷を検知した場合、ブザー出力及び警告灯点灯によりカーテン２０の盗難又は損傷を防止するが、盗難を防止する手段はこれに限らず、例えば、写真撮影システムの管理者への通報、又は悪戯を中止するように警告するアナウンス等、他の手段を用いてもよい。
【０１１９】
さらに、カーテン２０に設けられて検知部２６に繋がる導電体は金属体２５ａとしたが、カーテン２０に設けられる導電体は金属体２５ａに限らず、例えば、金属体２５ａとは別の金属線、金属メッキ繊維又はカーボンプリント等をカーテン２０の生地に沿うように設け、検知部２６に接続するようにしてもよい。
【０１２０】
実施の形態２
本実施の形態２の写真撮影システムは、前述した実施の形態１の写真撮影システムと略同様のハードウェア構成をしており、同様の構成には同一の符号を付して説明を省略し、異なる部分のみ以下に説明する。
【０１２１】
図１０は、本実施の形態２の写真撮影システムに備えられるカーテン２０の模式図である。
【０１２２】
図において３０はＩＣ無線タグであり、ＩＣ無線タグ３０は、カーテン２０の下側角部に位置し、表地２０ａと裏地２０ｂとの間に設けられている。このＩＣ無線タグ３０は、後述するリーダ／ライタから発信される電波に反応して記憶されたデータを出力するものであり、カーテン２０の存在を認識させる認識体である。
【０１２３】
図１１は、本実施の形態２の写真撮影システムのハードウェア構成を示すブロック図である。
【０１２４】
本実施の形態２の写真撮影システムは、バス１０３を介してＣＰＵ１００、撮影部１０、取り込み画像表示部１１、記憶部１０２、操作ディスプレイ１３、操作ボタン１５、スピーカ１２、照明部１７、印刷部１８０、硬貨処理部１６０、ＲＡＭ１０１、時計部１９、検知部２６、警告灯１４、リーダ／ライタ２７、モード切り換えスイッチ２８及びリセットボタン２９等が接続されている。
【０１２５】
リーダ／ライタ２７は、ＩＣ無線タグ３０に電波を発信してＩＣ無線タグ３０に記憶されたデータを読み出したり、ＩＣ無線タグ３０に情報を書き込むものであり、ＩＣ無線タグ３０を認識するための認識手段である。このリーダ／ライタ２７は、所定のタイミングによりＩＣ無線タグ３０に記憶された情報を読み出してＣＰＵ１００に出力する。
【０１２６】
ＣＰＵ１００は、ＩＣ無線タグ３０に記憶されたデータを受け取ることによりＩＣ無線タグ３０が設けられたカーテン２０が存在することを認識する。
【０１２７】
モード切り換えスイッチ２８は、カーテン２０の盗難又は損傷を検知した場合に写真撮影システムの動作を停止させる「停止モード」と、カーテン２０の盗難又は損傷を検知した場合でも写真撮影システムの動作を停止させない「続行モード」とを切り換えるものである。
【０１２８】
リセットボタン２９は、「停止モード」において写真撮影システムの動作が停止した場合に復帰させるために操作されるものである。
【０１２９】
本実施の形態２の写真撮影システムのハードウェア構成と、図７に示した実施の形態１の写真撮影システムのハードウェア構成とは、荷重センサ２２の代わりにリーダ／ライタ２７が備えられ、モード切り換えスイッチ２８及びリセットボタン２９が追加されている点が異なり、その他の構成は同一である。
【０１３０】
実施の形態２の写真撮影システムが備えるＣＰＵ１００の撮影印刷処理手順を図１２及び図１３に示すフローチャートを用いて説明する。
以下のフローチャートは、図８に示した撮影印刷処理手順に対して、カーテン２０の盗難又は損傷を検知した場合に、写真撮影装置１の動作を停止させることができる停止手段の手順を付加したものである。
なお、Ｓ５１からＳ５９までのステップは、図８に示したフローチャートのＳ１からＳ９のステップと同一のため、説明を省略する。
【０１３１】
ＣＰＵ１００は、編集後の画像データを印刷部１８０へ出力した（Ｓ５９）後、現在「停止モード」であるか否かを判定する（Ｓ６０）。
【０１３２】
「停止モード」でない場合（Ｓ６０：ＮＯ）は撮影印刷処理を終了する。「停止モード」である場合（Ｓ６０：ＹＥＳ）、ＣＰＵ１００は、検知部２６が検知信号を出力しているか否か、又はＩＣ無線タグ３０を認識不可か否かを判定し（Ｓ６１）、検知部２６が検知信号を出力していない場合、又はＩＣ無線タグ３０が認識できる場合（Ｓ６１：ＮＯ）は撮影印刷処理を終了する。
【０１３３】
Ｓ６１において、検知部２６が検知信号を出力している場合、又はＩＣ無線タグ３０が認識できない場合（Ｓ６１：ＹＥＳ）、ＣＰＵ１００は、「故障中」又は「お店の人に連絡してね」等のメッセージをモニタ１３ｂ上に表示させ（Ｓ６２）、写真撮影装置１の動作を停止させる（Ｓ６３）。
【０１３４】
次に、ＣＰＵ１００は、リセットボタン２９が操作されたか否かを判定し（Ｓ６４）、リセットボタン２９が操作されていない場合（Ｓ６４：ＮＯ）は、Ｓ６２に戻って「故障中」又は「お店の人に連絡してね」等のメッセージの表示及び写真撮影装置１の動作停止を継続する。Ｓ６４においてリセットボタン２９が操作されたと判定された場合は撮影印刷処理を終了する。
【０１３５】
図１４は、盗難損傷防止処理の手順を示すフローチャートである。
以下のフローチャートは、カーテン２０の盗難又は損傷を検知したとき、撮影部１０に撮影を行わせる撮影制御手段の手順を、図９に示した盗難損傷防止処理の手順に付加したものであり、図９に示した盗難損傷防止処理の手順と同様に、図１２及び図１３に示した撮影印刷処理の最中であっても、割り込み処理として実行される。
【０１３６】
検知部２６がカーテン２０損傷の検知信号をＣＰＵ１００に出力した場合、又はＣＰＵ１００がＩＣ無線タグ３０を認識できない場合（Ｓ７０）、これをトリガとしてＣＰＵ１００は、盗難損傷防止処理に入り、撮影部１０に対して撮影を行うように制御信号を出力する（Ｓ７１）。撮影は、１回又は適宜のタイミングによる連写のどちらでもよい。
【０１３７】
次に、ＣＰＵ１００は、撮影部１０が撮影した画像データを記憶部１０２に記憶させる（Ｓ７２）。
【０１３８】
次のＳ７３からＳ７７までのステップは、図９に示したフローチャートのＳ２１からＳ２５までのステップと同一のため、説明を省略する。
【０１３９】
本実施の形態に係る写真撮影システムにおいては、ＩＣ無線タグ３０及びリーダ／ライタ２７を備えたから、カーテン２０に設けられたＩＣ無線タグ３０を認識することによりカーテン２０の存在を認識することができる。よって、カーテン２０が盗難された場合は、ＩＣ無線タグ３０が認識できなくなることから盗難を検知することができる。
【０１４０】
また、カーテン２０の盗難又は損傷を検知した場合に、撮影部１０により撮影を行い、撮影した画像データを記憶部１０２に記憶するから、カーテン２０を盗難又は損傷しようとする利用者を特定できる。
【０１４１】
さらに、カーテン２０が盗難又は損傷された場合、写真撮影装置１の動作を停止させることができるから、カーテン２０が盗難又は損傷されたまま写真撮影装置１が稼働するのを防止できる。
【０１４２】
本実施の形態２においては、カーテン２０の存在を認識させる認識体にＩＣ無線タグ３０を用い、認識体を認識するための認識手段にリーダ／ライタ２７を用いたが、認識体及び認識手段はこれに限らず、例えば、認識体に磁性片又はループコイル等を用い、この磁性片又はループコイル等を検知する検知機を認識手段に用いる等、認識体及び認識手段は他の手段でもよい。
【０１４３】
また、カーテン２０に所定の模様を設けてこの模様を認識体とし、撮影部１０により認識体である模様を撮影し、認識手段となる画像認識処理により認識体を認識するようにしてもよい。この模様は、正常な撮影の邪魔にならないように、蛍光体マークと、この蛍光体マークを認識する認識手段との組合せ等、写真上において見分けられないものが望ましい。
【０１４４】
また、ＣＰＵ１００が盗難損傷防止処理に入るトリガを「荷重センサ２２又は検知部２６が検知信号をＣＰＵ１００に出力した場合」又は「検知部２６がカーテン２０損傷の検知信号をＣＰＵ１００に出力した場合、又はＣＰＵ１００がＩＣ無線タグ３０を認識できない場合」と複数の手段の内の何れか一つの場合としたが、誤作動を防止するため、カーテン２０の盗難又は損傷を複数の手段が検知した場合にＣＰＵ１００が盗難損傷防止処理に入るようにしてもよい。
【０１４５】
本発明に係る写真撮影システムの構成は、前述した実施の形態１又は実施の形態２の構成に限らず、実施の形態１及び実施の形態２に示したカーテン２０の盗難防止手段又は損傷防止手段を組合せて構成したり、一部を適用せずに構成することも可能である。
【０１４６】
また、前述したカーテン２０の盗難防止手段又は損傷防止手段は、カーテン２０に限らず、カーテン６に対しても適用可能であることは言うまでもない。
【０１４７】
【発明の効果】
以上、詳述したように、第１発明に係る写真撮影システムにおいては、カーテンの盗難防止手段又は損傷防止手段を備えるから、カーテンが盗難又は損傷されそうになっても、盗難防止手段又は損傷防止手段により盗難又は損傷を防止することができる。
【０１４８】
また、第２発明に係る写真撮影システムにおいては、カーテンの生地に沿うように設けられた金属体又は防刃繊維を備えるから、刃物によりカーテンを損傷しようとしても、金属体又は防刃繊維により損傷を防止することができる。
【０１４９】
また、第３発明に係る写真撮影システムにおいては、カーテンの生地に沿うように設けられた金属体は、線状をなし、端部が環状に形成されたから、金属体に鋭利な部分が無く、カーテンの生地から金属体が突き出すことも無いため、写真撮影システムの利用者がカーテンにふれても怪我をすることがない。
【０１５０】
また、第４発明に係る写真撮影システムにおいては、カーテンの生地に沿うように設けられた金属体を鎖状に形成したから、カーテンに金属体が設けられても、カーテンの柔らかさが損なわれず、カーテンにくるまって撮影する場合でも違和感がない。
【０１５１】
また、第５発明に係る写真撮影システムにおいては、カーテンを懸吊するための懸吊具及びカーテンの上縁部を覆うカバーを備えるから、カーテンを取り外そうとしても懸吊具に手が届かないために取り外すことができず、カーテンが盗難されない。
【０１５２】
また、第６発明に係る写真撮影システムにおいては、カーテンの生地に沿うように設けられた導電体と、導電体に接続されており、導電体に導電物が接触したことを検知する検知部と、検知部が検知した場合、検知したことを通知する通知手段とを備えるから、導電物である刃物によりカーテンを損傷しようとした場合は、導電体に刃物が接触したことを検知部により検知し、検知した場合に通知手段がカーテンの損傷を検知したことを通知し、カーテンの損傷を防止することができる。
【０１５３】
また、第７発明に係る写真撮影システムにおいては、カーテンが牽引されることにより加えられる力を検知する検知部と、検知部が検知した場合、検知したことを通知する通知手段とを備えるから、カーテンを盗難しようとして過度の力によりカーテンが牽引された場合は、カーテンに過度の力が加えられたことを検知部が検知し、検知した場合に通知手段がカーテンの盗難を検知したことを通知し、カーテンの盗難を防止することができる。
【０１５４】
また、第８発明に係る写真撮影システムにおいては、カーテンに設けられて存在を認識させる認識体と、認識体を認識する認識手段と、認識手段が認識体を認識できない場合、認識できないことを通知する通知手段とを備えるから、認識手段が認識体を認識することによりカーテンが存在することを認識でき、認識手段が認識体を認識できない場合はカーテンが盗難されると判断して通知手段によりカーテンの盗難を検知したことを通知し、カーテンの盗難を防止することができる。
【０１５５】
また、第９発明に係る写真撮影システムにおいては、通知手段が警報出力部を備えるから、カーテンの盗難又は損傷を検知した場合、警報出力部から警報を発し、カーテンを盗難又は損傷しようとする利用者にカーテンの盗難又は損傷を検知したことを知らせることによりカーテンの盗難又は損傷を防止することができる。
【０１５６】
また、第１０発明に係る写真撮影システムにおいては、通知手段が警告灯を備えるから、カーテンの盗難又は損傷を検知した場合、警告灯が点灯する。これにより、写真撮影システムの管理者が離れた場所にいる場合でもカーテンの盗難又は損傷を検知したことを認識することができる。
【０１５７】
また、第１１発明に係る写真撮影システムにおいては、検知部が検知した場合、又は認識手段が認識できない場合に、撮影部により撮影を行わせる撮影制御手段と、撮影部が撮影した画像を記憶する記憶部とを備えるから、カーテンの盗難又は損傷を検知した場合、撮影制御手段が撮影部により撮影するように制御し、撮影部が撮影した画像が記憶部に記憶される。これによりカーテンを盗難又は損傷しようとする利用者が特定できる。
【０１５８】
また、第１２発明に係る写真撮影システムにおいては、検知部が検知した場合、又は認識手段が認識できない場合に、写真撮影装置の動作を停止させることができる停止手段を備えるから、カーテンの盗難又は損傷を検知した場合、停止手段により写真撮影装置の動作を停止させることができる。これによりカーテンが盗難又は損傷されたまま写真撮影装置が稼働することを防止できる。
【０１５９】
また、第１３発明に係るカーテンにおいては、生地に沿うように設けられた金属体又は防刃繊維を備えるから、刃物によりカーテンを損傷しようとしても、金属体又は防刃繊維により損傷を防止することができる。
【０１６０】
また、第１４発明に係るカーテンにおいては、生地に沿うように設けられた金属体は、線状をなし、端部が環状に形成されたから、金属体に鋭利な部分が無く、カーテンの生地から金属体が突き出すことも無いため、写真撮影システムの利用者がカーテンにふれても怪我をすることがない。
【０１６１】
また、第１５発明に係るカーテンにおいては、生地に沿うように設けられた金属体を鎖状に形成したから、カーテンに金属体が設けられても、カーテンの柔らかさが損なわれず、カーテンにくるまっても違和感がない。
【０１６２】
また、第１６発明に係るカーテンにおいては、カーテンの生地に沿うように設けられた導電体を備えており、この導電体を検知部に接続できるから、導電物である刃物によりカーテンを損傷しようとした場合は、導電体に刃物が接触したことを検知部に検知させることができる。
【０１６３】
さらに、第１７発明に係るカーテンにおいては、存在を認識させるための認識体を備えるから、認識体を認識する認識手段に存在を認識させることができ、盗難された場合は、認識手段が認識体を認識できなくなることから盗難を検知させることができる。
【図面の簡単な説明】
【図１】本発明に係る写真撮影システムの全体構成を示す模式的斜視図である。
【図２】写真撮影装置の外観を示す模式的斜視図である。
【図３】背面パネル及び側面パネルの撮影範囲側を示す模式的斜視図である。
【図４】カバー内部の模式図である。
【図５】カーテン及び掛止部を示す斜視図である。
【図６】検知部の要部であるブリッジ回路を示す模式図である。
【図７】写真撮影システムのハードウェア構成を示すブロック図である。
【図８】写真撮影システムが備えるＣＰＵの撮影印刷処理手順を示すフローチャートである。
【図９】盗難損傷防止処理の手順を示すフローチャートである。
【図１０】写真撮影システムに備えられるカーテンの模式図である。
【図１１】写真撮影システムのハードウェア構成を示すブロック図である。
【図１２】写真撮影システムが備えるＣＰＵの撮影印刷処理手順を示すフローチャートである。
【図１３】写真撮影システムが備えるＣＰＵの撮影印刷処理手順を示すフローチャートである。
【図１４】盗難損傷防止処理の手順を示すフローチャートである。
【符号の説明】
１  写真撮影装置
６，２０  カーテン
１０  撮影部
１２  スピーカ（警報出力部）
１４  警告灯
２０ａ  表地（生地）
２０ｂ  裏地（生地）
２１  カバー
２２  荷重センサ（検知部）
２３  レール（懸吊具）
２４  駒（懸吊具）
２５  掛止部（懸吊具）
２５ａ  金属体（導電体）
２６  検知部
２７  リーダ／ライタ（認識手段）
３０  ＩＣ無線タグ（認識体）
【図１】
2004229763.tif 000003
【図２】
2004229763.tif 000004
【図３】
2004229763.tif 000005
【図４】
2004229763.tif 000006
【図５】
2004229763.tif 000007
【図６】
2004229763.tif 000008
【図７】
2004229763.tif 000009
【図８】
2004229763.tif 000010
【図９】
2004229763.tif 000011
【図１０】
2004229763.tif 000012
【図１１】
2004229763.tif 000013
【図１２】
2004229763.tif 000014
【図１３】
2004229763.tif 000015
【図１４】
2004229763.tif 000016